(57)【要約】【課題】シールド部材とパネルホルダとが断続的に接触離反を繰り返すことで発生するびびり音の発生を抑制するとともに前記基板より電磁妨害電波をシールドし、電磁輻射妨害が発生するのを抑制することで、安定して動作させることができる。【解決手段】リヤフレーム１、ベゼル６、メイン基板７１、タイミングコントローラ基板７２、シールド部材８１とを有し、前記シールド部材８１が長方形状の平面部８１１と、平面部８１１の一対の短辺及び一方の長辺より立設された長方形状の立ち上がり部８１２と、他方の長辺より立設され、当接部８１５１と、当接部８１５１の短辺と接続する一対の支持脚部８１５２とを備えた押え部８１５を有する係合部８１３とが形成された液晶表示装置。【選択図】図３
2008197164.tif 000002
【特許請求の範囲】
【請求項１】
金属板を切り曲げて形成され、長方形状の底面部と、前記底面部の両方の長辺より斜めに立設された接続部と、前記接続部から前記底面に対し平行で且つ外方向へ折曲された支持部と、前記支持部の外縁部と直角を成すとともに前記接続部と対向するように折曲された側壁部とを備えたリヤフレームと、
前記リヤフレームの底面部及び接続部に密接して配置された反射シートと、
前記反射シートの上方に配置されたＵ字状の陰極管を有する複数本のバックライトと、
下側に前記バックライトを保持する保持部を備えたライトフレームと、
前記ライトフレーム及び前記支持部上に配置され光を拡散させる長方形状の拡散板と、
前記拡散板に重ねて配置される２枚の長方形状の拡散シートと、
前記拡散シートが載置された前記拡散板及び拡散シートの外周部を押える枠状のセルガイドと、
前記セルガイドの上部に配置され、対向して配置された一対のガラス基板間に液晶が封入された液晶セルと、
前記セルガイド及び前記液晶セルを押える長方形枠状の上面部と、前記上面部の外縁より立設された回りこみ部と、前記回り込み部の長辺を形成する部分の少なくとも一方の一部に形成された凹欠とを備えたベゼルと、
前記液晶セルに取り付けられ前記液晶セルを駆動するための駆動基板と、
前記リヤフレームの底面部の下面側に取り付けられ、前記駆動基板にタイミングパルスを送信する長方形状のタイミングコントローラ基板と、
金属板を切り曲げて形成され、前記タイミングコントローラ基板よりも大きな長方形状に形成された平面部と、前記平面部の一対の短辺及び一方の長辺を形成する辺縁より長方形状に立設された立ち上がり部と、他方の長辺を形成する辺縁より、長方形状に前記立ち上がり部よりも長く立設されている係合部とを備えたシールド部材と、
長方形状の下面部と、前記下面部の一方の長辺より立設された取付部とを備えたパネルホルダとを有する液晶表示装置であって、
前記シールド部材の前記係合部は互いに他方に向けて傾倒するように前記係合部より立設された２個の脚部と、前記２個の脚部を一体的に連結する台部とを備えた押え部を有しており、
前記シールド部材は前記平面部、前記立ち上がり部及び前記係合部で前記タイミングコントローラ基板を非接触に覆うとともに、前記係合部が前記凹欠内に非接触でなおかつ前記側壁部と接触するように配置され、前記立ち上がり部が前記底面部の下面側に固定されており、
前記パネルホルダは前記下面部が前記底面部の下面側と、且つ、前記取付部が前記ベゼルの回り込み部及び前記シールド部材の前記押え部と接触するように配置され、前記下面部が前記底面部の下面側に固定されていることを特徴とする液晶表示装置。
【請求項２】
金属板を切り曲げて形成され、長方形状の底面部と、前記底面部の両方の長辺より斜めに立設された接続部と、前記接続部から前記底面に対し平行で且つ外方向へ折曲された支持部と、前記支持部の外縁部と直角を成すとともに前記接続部と対向するように折曲された側壁部とを備えたリヤフレームと、
透明電極が配設された一対のガラス基板間に液晶が封入された液晶セルを含み前記リヤフレームに保持された液晶パネルと、
前記液晶パネルを押えるベゼルと、
前記リヤフレームの底面部の下面側に取り付けられ、前記高周波パルス信号を出力するプリント配線基板と、
金属板を切り曲げて形成され、前記プリント配線基板よりも大きく形成された平面部と、前記平面部の辺縁より該辺縁の一部を残して立設された立ち上がり部と、前記平面部の残りの辺縁に立設され、前記立ち上がり部よりも長く形成された係合部とを備えたシールド部材と、
長方形状の下面部と、前記下面部の一方の長辺より立設された取付部とを備えたパネルホルダとを有する液晶表示装置であって、
前記シールド部材には前記係合部より一体突出された押え部が形成されており、
前記シールド部材は前記底面部の下面側に取り付けられた前記プリント配線基板を前記平面部、前記立ち上がり部及び前記係合部が非接触に覆うとともに、前記係合部が前記側壁部と当接するように前記底面部に固定されており、
前記パネルホルダは前記取付部が前記ベゼルの回り込み部及び前記シールド部材の前記押え部と接触するように、前記下面部が前記底面部の下面側に固定されていることを特徴とする液晶表示装置。
【請求項３】
前記プリント配線基板は前記液晶パネルにタイミングパルス信号を出力するタイミングコントローラ基板であることを特徴とする請求項２に記載の液晶表示装置。
【請求項４】
前記押え部は先端が前記係合部から切り離されて折曲されており、弾性変形可能であることを特徴とする請求項２又は請求項３に記載の液晶表示装置。
【請求項５】
前記押え部は一体的に押し出された突起であることを特徴とする請求項２又は請求項３に記載の液晶表示装置。
【発明の詳細な説明】
【技術分野】
【０００１】
本発明は、がたつき、びびり音の発生を抑制することができるタイミングコントローラのシールドプレートを備えた液晶表示装置に関するものである。
【背景技術】
【０００２】
液晶表示装置は、薄型、軽量、低消費電力であり、ノートＰＣ、ＰＣ用モニタ、家庭用ＴＶ受像機等に広く用いられている。前記液晶表示装置は、バックライトより出射された光が液晶パネルを透過することで、映像を形成するものである。
【０００３】
前記液晶表示装置には複数の基板が配置されており、各基板には電子部品が取り付けられている。前記基板からは電磁妨害電波が放出されることによる電磁輻射妨害（以下、ＥＭＩという）が発生する場合がある。液晶表示装置等の電子機器においては、前記電磁妨害電波の漏洩を防止しＥＭＩの発生を低減するために、金属にて形成されたシールド部材を用いて前記基板を覆うことでシールドがなされている（特開平１０−１５３７６６号公報、実開昭６３−１１６８０号公報、実開平５−２９０２５号公報、実開平３−７５４７７号公報参照）。
【０００４】
液晶パネルには駆動ドライバ（ソースドライバ、ゲートドライバ）が備えられている。前記液晶パネルには画素ごとに液晶層をはさんで配置された一対の透明電極が配置されている。前記透明電極にはＴＦＴ（Ｔｈｉｎ  Ｆｉｌｍ  Ｔｒａｎｓｉｓｔｏｒ）が配置されており、前記駆動ドライバより送信されてくる制御信号によって、前記一対の透明電極間の電圧を制御している。このように画素ごとに前記一対の透明電極間の電圧を制御することで、前記液晶パネルはバックライトより出射された光を透過又は遮断させ、前記液晶表示装置の表示部に映像を表示する。
【０００５】
前記駆動ドライバはタイミングコントローラが接続されている。前記タイミングコントローラは前記駆動ドライバに液晶パネルの駆動表示に必要なタイミングパルスを出力するコントローラである。前記駆動ドライバは前記タイミングコントローラより出力された前記タイミングパルスをもとに前記ＴＦＴに制御信号を出力する。
【０００６】
前記タイミングコントローラから出力されるタイミングパルスの周波数は他の部品に比べて高いことが多く、前記タイミングコントローラからの電磁妨害電波が前記液晶表示装置に配置された電子部品や、基板に影響するＥＭＩが発生することがある。そこで、液晶表示装置においては前記タイミングコントローラのみが独立してシールド部材に覆われて配置されてシールドされていることが多い。
【０００７】
図７は従来の液晶表示装置の分解斜視図であり、図８は図７に示す液晶表示装置の下面から見た斜視図である。図８では説明の便宜上、パネルホルダを取り外している。図７に示すように、液晶表示装置Ｂは、少なくとも、金属製のリヤフレーム１、反射シート２、バックライト３、液晶パネル４、ソースドライバ基板５１、ゲートドライバ基板５２、ベゼル６、メイン基板７１、タイミングコントローラ基板７２、シールド部材９１、パネルホルダ８２を備えている。
【０００８】
液晶表示装置Ｂでは、リヤフレーム１の正面側に反射シート２、バックライト３、液晶パネル４が配置される。液晶パネル４には、セルガイド４１、拡散板４２、拡散シート４３、液晶セル４４とを有している。ソースドライバ基板５１及びゲートドライバ基板５２は液晶セル４４の側面に取り付けられる。ベゼル６はリヤフレーム１に配置された液晶パネル４を正面側から押える金属製の部材であり、接地されている。メイン基板７１及びタイミングコントローラ基板７２はリヤフレーム１の下面側に配置され、図示を省略したボルトにて固定される。それには限定されないが、ここでは、メイン基板７１はリヤフレーム１の中央に取り付けられるものであり、タイミングコントローラ基板７２は上側の端部に取り付けられるものである。
【０００９】
図８に示すようにシールド部材９１は長方形状の金属板９１１の各辺より垂直に連結された立ち上がり部９１２を備えており、金属板９１１の長辺の一方に連結した立ち上がり部９１３は他の立ち上がり部よりも長くなるように形成されている。シールド部材９１はリヤフレーム１の下面側よりタイミングコントローラ基板７２を覆うとともに、他の立ち上がり部９１１よりも長く形成された立ち上がり部９１３がリヤフレーム１の上面に当接するように配置され、リヤフレーム１の下面と図示を省略したボルトで固定されている。
【００１０】
さらにシールド部材９１の上部よりパネルホルダ８２が取り付けられる。パネルホルダ８２は液晶表示装置Ｂを筐体に取り付けるための取り付け部材として用いられるものであり、リヤフレーム１の下面側と上面側の一部を覆う断面Ｌ字状の部材である。パネルホルダ８２は筐体のアース部と接触するように取り付けられており、シールド部材９１がパネルホルダ８２と接触するように取り付けられているので、シールド部材９１は接地される。
【００１１】
このようにシールド部材９１とリヤフレーム１とでタイミングコントローラ基板７２を覆うことで、タイミングコントローラ基板７２より出射される電磁妨害電波をブロックし、前記電磁妨害電波によるＥＭＩの発生を低減することができる。
【特許文献１】特開平１０−１５３７６６号公報
【特許文献２】実開昭６３−１１６８０号公報
【特許文献３】実開平５−２９０２５号公報
【特許文献４】実開平３−７５４７７号公報参照
【発明の開示】
【発明が解決しようとする課題】
【００１２】
液晶表示装置Ｂではリヤフレーム１の上面をボルト止めに用いにくく、その結果、シールド部材９１及びパネルホルダ８２のいずれもリヤフレーム１の下面にボルト止めにて固定されている。しかしながら、シールド部材９１及びパネルホルダ８２のリヤフレーム１の上面が固定されておらず、シールド部材９１の立ち上がり部のリヤフレーム１の上面と当接する部分とパネルホルダ８２のリヤフレーム１の上面の一部を覆う部分とが接触しない場合がある。
【００１３】
このため、シールド部材９１の接地が不十分になったり、シールド部材９１とパネルホルダ８２とが断続的に接触、分離を繰り返すことで発生するびびり音による不快感等の不具合が発生する。
【００１４】
そこで本発明は、前記基板より発生する電磁妨害電波をシールドし、電磁輻射妨害が発生するのを抑制することで、安定して動作させることができる液晶表示装置を提供することを目的とする。
【００１５】
また本発明は、装置全体を安定して接地させることができ、それだけ、安定して動作を行うことができる液晶表示装置を提供することを目的とする。
【００１６】
さらに本発明は、シールド部材とパネルホルダとが断続的に接触離反を繰り返すことで発生するびびり音の発生を抑制することができる液晶表示装置を提供することを目的とする。
【課題を解決するための手段】
【００１７】
上記目的を達成するために本発明は、金属板を切り曲げて形成され、長方形状の底面部と、前記底面部の両方の長辺より斜めに立設された接続部と、前記接続部から前記底面に対し平行で且つ外方向へ折曲した支持部と、前記支持部の外縁部と直角を成すとともに前記接続部と対向するように接続された側壁部とを備えたリヤフレームと、透明電極が配設された一対のガラス基板間に液晶が封入された液晶セルを含み前記リヤフレームに保持された液晶パネルと、前記液晶パネルを押えるベゼルと、前記リヤフレームの底面部の下面側に取り付けられ、前記高周波パルス信号を出力するプリント配線基板と、金属板を切り曲げて形成され、前記プリント配線基板よりも大きく形成された平面部と、前記平面部の辺縁より該辺縁の一部を残して立設された立ち上がり部と、前記平面部の残りの辺縁に立設され、前記立ち上がり部よりも長く形成された係合部とを備えたシールド部材と、長方形状の下面部と、前記下面部の一方の長辺より立設された取付部とを備えたパネルホルダとを有する液晶表示装置であって、前記シールド部材には前記係合部より一体突出された押え部が形成されており、前記シールド部材は前記底面部の下面側に取り付けられた前記プリント配線基板を前記平面部、前記立ち上がり部及び前記係合部が非接触に覆うとともに、前記係合部が前記側壁部と当接するように前記底面部に固定されており、前記パネルホルダは前記取付部が前記ベゼルの回り込み部及び前記シールド部材の前記押え部と接触するように、前記下面部が前記底面部の下面側に固定されていることを特徴とする。
【００１８】
この構成によると、前記シールド部材と前記パネルホルダとを常時接触状態に保つことが可能である、これにより、前記シールド部材を確実に接地することができるとともに、前記プリント配線基板より出射される電磁妨害電波が外部に漏洩するのを抑制することができる。また、前記シールド部材と前記パネルホルダとが接触、離反を繰り返すことによるびびり音の発生を低減することができる。
【００１９】
これにより、画像表示や音声等に不要輻射による影響が出にくく、びびり音等のメカニカルノイズの発生を抑えることができ、それだけ、品質の高い液晶表示装置とすることができる。
【００２０】
上記構成において、前記プリント配線基板は前記液晶パネルにタイミングパルス信号を出力するタイミングコントローラ基板を挙げることができる。
【００２１】
上記構成において、前記押え部は先端が前記係合部から切り離され、弾性変形可能であるものであってもよく、一体的に押し出された突起であってもよい。
【００２２】
前記シールド部材の加工することで対応することができるので、部材点数が増加し、製造工数が増加することによるコストの上昇を抑えつつ、品質を向上させることが可能である。
【００２３】
本発明にかかる液晶表示装置の具体的な例として以下のものをあげることができる。すなわち、金属板を切り曲げて形成され、長方形状の底面部と、前記底面部の両方の長辺より斜めに立設された接続部と、前記接続部から前記底面に対し平行で且つ外方向へ折曲した支持部と、前記支持部の外縁部と直角を成すとともに前記接続部と対向するように接続された側壁部とを備えたリヤフレームと、前記リヤフレームの底面部及び接続部に密接して配置された反射シートと、前記反射シートの上方に配置されたＵ字状の陰極管を有する複数本のバックライトと、下側に前記バックライトを保持する保持部を備えたライトフレームと、前記ライトフレーム及び前記支持部上に配置され光を拡散させる長方形状の拡散板と、前記拡散板に重ねて配置される２枚の長方形状の拡散シートと、前記拡散シートが載置された前記拡散板及び拡散シートの外周部を押える枠状のセルガイドと、前記セルガイドの上部に配置され、透明電極が配設された一対のガラス基板間に液晶が封入された液晶セルと、前記セルガイド及び前記液晶セルを押える長方形枠状の上面部と、前記上面部の外縁より立設された回りこみ部と、前記回り込み部の長辺を形成する部分の少なくとも一方の一部に形成された凹欠とを備えたベゼルと、前記液晶セルに取り付けられ前記液晶セルを駆動するための駆動基板と、前記リヤフレームの底面部の下面側に取り付けられ、前記駆動基板にタイミングパルスを送信する長方形状のタイミングコントローラ基板と、金属板を切り曲げて形成され、前記タイミングコントローラ基板よりも大きな長方形状に形成された平面部と、前記平面部の一対の短辺及び一方の長辺を形成する辺縁より長方形状に立設された立ち上がり部と、他方の長辺を形成する辺縁より、長方形状に前記立ち上がり部よりも長く立設されている係合部とを備えたシールド部材と、長方形状の下面部と、前記下面部の一方の長辺より立設された取付部とを備えたパネルホルダとを有する液晶表示装置であって、前記シールド部材の前記係合部は互いに他方に向けて傾倒するように前記係合部より立設された２個の脚部と、前記２個の脚部を一体的に連結する台部とを備えた押え部を有しており、前記シールド部材が前記底面部の下面側に取り付けられたタイミングコントローラ基板を前記平面部、前記立ち上がり部及び前記係合部が非接触に覆うとともに、前記係合部が前記側壁部と当接するとともに前記ベゼルの凹欠に収まり前記ベゼルとは非接触になるように前記底面部に固定されており、前記パネルホルダが前記取付部を前記ベゼルの回り込み部及び前記シールド部材の前記押え部と接触するように、前記下面部が前記底面部の下面に固定されている。
【発明の効果】
【００２４】
本発明によると、前記基板より発生する電磁妨害電波をシールドし、電磁輻射妨害が発生するのを抑制することで、安定して動作させることができる液晶表示装置を提供することができる。
【００２５】
また本発明によると、装置全体を安定して接地させることができ、それだけ、安定して動作を行うことができる液晶表示装置を提供することができる。
【００２６】
さらに本発明によると、シールド部材とパネルホルダとが断続的に接触離反を繰り返すことで発生するびびり音の発生を抑制することができる液晶表示装置を提供することができる。
【発明を実施するための最良の形態】
【００２７】
以下に本発明の実施形態を図面を参照して説明する。図１は本発明にかかる液晶表示装置の分解斜視図であり、図２（Ａ）は本発明にかかる液晶表示装置のシールド部材を取り付けていない状態の下面図であり、図２（Ｂ）本発明にかかる液晶表示装置にシールド部材を取り付けていない状態の下面側から見た斜視図であり、図３（Ａ）は図２に示す液晶表示装置のシールド部材を取り付けた状態を下面側から見た斜視図であり、図３（Ｂ）は図３（Ａ）に示す液晶表示装置のシールド部材が取り付けられている部分を拡大した斜視図であり、図４は図２に示す液晶表示装置にシールド部材及びパネルホルダを取り付けた状態の下面側から見た斜視図である。
【００２８】
図１に示すように、液晶表示装置Ａは少なくとも、リヤフレーム１、反射シート２、バックライト３、ライトフレーム３１、液晶パネル４、ソースドライバ基板５１、ゲートドライバ基板５２、ベゼル６、メイン基板７１、タイミングコントローラ基板７２、シールド部材８１、パネルホルダ８２とを有している。
【００２９】
リヤフレーム１は金属板を折り曲げて形成されたものであり、長方形状の底面部１１と、底面部１１の一対の長辺に立接された立ち上がり部１２とを有している。立ち上がり部１２は底面部１１より立ち上がる接続部１２１と、接続部１２１と連結され、液晶パネル４の長辺を支持する支持部１２２と、支持部１２２と連結され、接続部１２１と対抗する外枠部１２３とを有している。また、リヤフレーム１の下面側には、メイン基板７１、タイミングコントローラ７２、シールド部材８１、パネルホルダ８２等をねじ止めするための支持台部１３が形成されている（図２参照）。
【００３０】
反射シート２はリヤフレーム１の正面側に配置されるものであり、リヤフレーム１の底面部１１及び接続部１２１と密接して取り付けられている。リヤフレーム１の正面側には反射シート２を配置した後、バックライト３が配置される。バックライト３はＵ字状に形成された陰極管であり、その両端部にはランプホルダ３０が取り付けられている。ランプホルダ３０には図示を省略した電線が接続されており、この電線よりバックライト３を駆動するための電力が供給される。また、反射シート２を貫通するとともにリヤフレーム１に固定され、バックライト３を支持するライト支持部材３２も備えられている。
【００３１】
リヤフレーム１の短辺には正面側より取り付けられ、バックライト３のランプホルダ３０及び折り返し部を保持するためのライトフレーム３１が備えられている。ライトフレーム３１は台状に形成されており、リヤフレーム１の底面部１１及び接続部１２１と接触するように配置されている。また、ライトフレーム３１はリヤフレーム１の短辺に配置された状態でリヤフレーム１の支持部１２２と同一平面を形成する支持部３１１を備えている。
【００３２】
液晶パネル４はセルガイド４１と、バックライト３より出射された光及び反射シート２で反射された光を拡散するための拡散板４２及び拡散シート４３と、対向して配置され、間隙に液晶が充填された一対のガラス基板を有する液晶セル４４とを有している。拡散板４２はリヤフレーム１の支持部１２２及びライトフレーム３１の支持部３１１に外周部を支持されており、その上部に２枚の拡散シート４３が配置されている。
【００３３】
セルガイド４１は、拡散板４２、拡散シート４３の四辺を上面側よりリヤフレーム１の支持部１２２及びライトフレーム３１の支持部３１１に向けて押える長方形状の枠体である。セルガイド４１の上部には液晶セル４４が載置されており、液晶セル４４はセルガイド４１に四辺を保持されている。液晶セル４４のガラス基板には対向するように透明電極が画素ごとに形成されており、対向する透明電極間に所定の電圧を印加することで、拡散シート４３からの光を透過させる或いは遮断することで液晶パネル４に画像を形成する。
【００３４】
液晶セル４４には画素ごとに透明電極が形成されており、この透明電極に駆動信号を送信するためのソースドライバ基板５１及びゲートドライバ基板５２とがＦＰＣを介して接続されている。
【００３５】
ベゼル６はリヤフレーム１及びライトフレーム３１を覆うことができる金属製の枠体であり、正面側に液晶パネル４の映像表示部を外部より視認することができる開口６０を有している。また、ベゼル６は断面Ｌ字状を有しており、リヤフレーム１の支持部１２２及びライトフレーム３１の支持部３１１と当接する正面部６１と、リヤフレーム１の外枠部１２３と当接する側面部６２とを有している。また、ベゼル６の側面部６２の長辺中央には、欠切部６２１が、短辺には切り起こしにて形成された固定部６２２が形成されている（図２等参照）
【００３６】
ベゼル６はボルト止めにてリヤフレーム１及びライトフレーム３１と固定されている。ベゼル６を止めているボルトはメインフレーム４を貫通している。ベゼル６をリヤフレーム１及びライトフレーム３１に強固に固定することで、セルガイド４１がリヤフレーム１、ライトフレーム３１とベゼル６とではさまれて安定した状態で固定される。ベゼル６は接地されている。
【００３７】
リヤフレーム１の底面部１１の下面側には押し出し加工により隆起して形成された支持台部１３が複数個形成されている。この支持台部１３は錘台形状を有しており平面状の上面部１３１を備え、この上面部１３１にはボルトが螺合される雌ねじ孔が形成されている。メイン基板７１は長方形状のプリント配線基板に複数の電子部品が実装された基板であり、液晶表示装置Ａの各部の駆動電力の供給、入出力信号を調整等の動作が行われる。メイン基板７１は支持台部１３の上面部１３１と当接して配置され、メイン基板７１に形成されている貫通孔を貫通したボルトが雌ねじ孔に螺合し締め付けることでリヤフレーム１の下面に固定されている。
【００３８】
タイミングコントローラ基板７２は長方形状のプリント配線基板であり、タイミングパルスを発信するタイミングコントローラが実装されている。また、タイミングコントローラ以外にも、複数の電子部品が実装されている。タイミングコントローラ基板７２はソースドライバ基板５１、ゲートドライバ基板５２及びメイン基板７１とＦＰＣ等の信号ケーブルを介して接続されている。
【００３９】
ソースドライバ基板５１及びゲートドライバ基板５２はガラス基板４２の各画素に形成されている透明電極に取り付けられたＴＦＴに接続されており、各ＴＦＴに駆動信号を出力するものである。タイミングコントローラはメイン基板７１より入力された信号をもとにソースドライバ基板５１及びゲートドライバ基板５２にタイミングパルスを出力するものであり、高周波のタイミングパルスが出力されている。
【００４０】
このタイミングパルスは高周波であることから、周辺機器への電磁妨害電波が漏洩し、配線、基板上に実装された電子部品、液晶パネル４の透明電極等に悪影響を及ぼすＥＭＩの原因となりえる。そこで、液晶表示装置Ａでは、タイミングコントローラ基板７２を金属製のシールド部材８１で覆い接地することで、電磁妨害電波が外部に漏洩するのを抑制している。
【００４１】
シールド部材８１は金属板を折り曲げて形成されており、タイミングコントローラ基板７２よりも大きな長方形状の平面部８１１と、平面部８１１の一対の短辺及び一方の長辺より立設された長方形状の立ち上がり部８１２と、他方の長辺より立設された長方形状の係合部８１３とが形成されている。
【００４２】
図５はシールド部材の正面図である。図５に示すように、シールド部材８１の立ち上がり部８１２には立ち上がり部８１２の端部より折曲げられ、平面部８１１と平行になるように形成された固定用端部８１４が形成されている。シールド部材８１はリヤフレーム１の下面に取り付けられたタイミングコントローラ基板７２を覆うように配置されるとともに、リヤフレーム１の下面に形成された支持台部１３の上面部１３１と当接するように形成されており、上面部１３１に形成された雌ねじ孔とボルトにて共締めされることで固定されている。
【００４３】
また、図３、図５等に示すようにシールド部材８１の係合部８１３には、押え部８１５が形成されている。押え部８１５は長方形状の当接部８１５１と、係合部８１３より斜めに立設されるとともに、当接部８１５１の対向する短辺と接続する一対の支持脚部８１５２とを有している。支持脚部８１５２は弾性変形可能である。
【００４４】
押え部８１５はそれには限定されないが、ここでは、係合部８１３の平面部８１１との接続部と反対側の辺縁部近傍に辺縁部と平行な切り込みを形成し、係合部８１３の切り込みよりも辺縁部側の部分の中央を押し出すことで形成されるものである。ベゼル６の側面部６２の長辺中央には、欠切部６２１が形成されており、シールド部材８１をリヤフレーム１に取り付けたときに、係合部８１３が欠切部６２１に収まり、シールド部材８１とベゼル６とが直接接触しないように形成されている。このように直接接触しないように形成することで、ベゼル６或いはシールド部材８１が振動しても他方の部材との接触によるびびり音の発生を抑制することができる。
【００４５】
パネルホルダ８２は、底面部１１の下面にボルト止めにて固定される断面Ｌ字状の長尺部材である。パネルホルダ８２はリヤフレーム１の下面側に取り付けられる長方形状の下面部８２１と、下面部８２１の長辺より立設され、側面部１２と当接し、筐体が取り付けられる取付部８２２とを有している。
【００４６】
図４に示すように、パネルホルダ８２は下面部８２１がシールド部材８１の平面部８１１を下面側から覆うとともに、取付部８２２が係合部８１３を側面側から覆うように配置され、下面部８２１がリヤフレーム１の底面部１１の下面側にボルト止めされることで固定されている。また、取付部８２２は長尺形状を有しており、取付部８２２と当接する部分からはなれた部分ではベゼル６の側面部６２と当接している。ベゼル６は接地されているので、ベゼル６と接触しているパネルホルダ８２もまた接地されている。
【００４７】
パネルホルダ８２の取付部８２２とリヤフレーム１の外枠部１２３との間に、シールド部材８１の係合部８１３が配置される。上述したように係合部８１３には係合部８１３より突出した押え部８１５が形成されており、押え部８１５は取付部８２２によって押えられ、弾性変形して取付部８２２と当接している。取付部８２２が側面方向に引っ張られて係合部８１３から離れようとした場合、押え部８１５がもとの形状に戻り、取付部８２２と常に接触する。これにより、パネルホルダ８２とシールド部材８１との接触状態が保たれるので、シールド部材８１は安定して接地される。
【００４８】
また、取付部８２２に付与していた側面方向の引っ張り力が解放されて、取付部８２２が係合部８１３側に移動した場合、取付部８２２の元に戻る力は押え部８１５が弾性変形することで吸収される。これにより、取付部８２２は係合部８１３と接触しない或いは接触する場合であっても緩慢に接触するので、接触するときの接触音が発生するのを抑制することができる。
【００４９】
取付部８２２には切り起こすことで形成された固定部８２３を備えている。固定部８２３には貫通孔が形成されており、貫通孔にボルトを通し、筐体と共締めされて、液晶表示装置Ａが筐体に固定される。なお、パネルホルダ８２は液晶表示装置Ａの長辺に取り付けられ、長辺を固定するものであり、液晶表示装置Ａの短辺はベゼル６の側面部６２の短辺と当接する部分に切り起こしにて形成された固定部６２２がボルトにて筐体に共締めされることで、固定される。ベゼル６は各辺ごとに分割可能な部材であり、短辺を形成する部材は変形しにくいが、長辺を形成する部材は変形しやすい。このため、側面部６２の短辺を形成する部分には直接固定部が形成されており、長辺を形成する部分はパネルホルダ８２を取り付け、パネルホルダ８２に固定部８２３を形成することで補強し、ベゼル６、さらには、液晶パネル４が変形するのを抑制している。
【００５０】
以上に示したように本発明にかかる液晶表示装置では、リヤフレーム１の底面部１１の下面側に取り付けられたタイミングコントローラ基板７２を覆うとともに接地された金属製のシールド部材８１を備えていることで、タイミングコントローラ基板７２より発生する電磁妨害電波が外部に漏洩するのを抑制し、他の機器へのＥＭＩを低減することが可能である。
【００５１】
図６各図はシールド部材の押え部の他の例を示す図である。図６（Ａ）に示すように、係合部８１３に平行な一対の切込み８１６を形成し、その切込みの中央部を押すこと形成された押え部８１５ｂとしてもよい。また、押え部８１５ｃのように、切込み８１６の一方を係合部８１３の辺縁部で代用してもよい。３方を取り囲むように切込み８１７をいれ、内部を押して折り曲げた押え部８１５ｄであってもよい。また、係合部８１３の内側より貫通しないように押し出した押し出し加工（ハーフパンチ加工）にて形成された押え部８１５ｅとしてもよい。押え部８１５ｅの場合、押え部８１５ｅ自体では弾性変形しにくいが、押え部８１５ｅと接触するパネルホルダ８２の取付部８２２が弾性変形することで常時接触した状態に保たれる。また、押え部はこれらの形状に限定されるものではなく、シールド部材８１の係合部８１３と一体に形成され、パネルホルダ８２の取付部８２２が変形した場合であっても、接触状態を保つことができる形状のものを広く採用することが可能である。
【００５２】
以上、発明の実施形態を具体的に説明したが、本発明は上記実施形態に限定するものではなく、その要旨を逸脱しない範囲で種々変更可能である。
【産業上の利用可能性】
【００５３】
本発明は、ＥＭＩ対策が必要な液晶表示装置に採用することが可能である。
【図面の簡単な説明】
【００５４】
【図１】本発明にかかる液晶表示装置の分解斜視図である。
【図２】図Ａは本発明にかかる液晶表示装置のシールド部材を取り付けていない状態の下面図であり、図Ｂ本発明にかかる液晶表示装置にシールド部材を取り付けていない状態の下面側から見た斜視図である。
【図３】図Ａは図２に示す液晶表示装置のシールド部材を取り付けた状態を下面側から見た斜視図であり、図Ｂは図Ａに示す液晶表示装置のシールド部材が取り付けられている部分を拡大した斜視図である。
【図４】図２に示す液晶表示装置にシールド部材及びパネルホルダを取り付けた状態の下面側から見た斜視図である。
【図５】シールド部材の正面図である。
【図６】シールド部材の押え部の他の例を示す図である。
【図７】従来の液晶表示装置の分解斜視図である。
【図８】図７に示す液晶表示装置の下面から見た斜視図である。
【符号の説明】
【００５５】
１  リヤフレーム
１１  底面部
１２  立ち上がり部
１２１  接続部
１２２  支持部
１２３  外枠部
２  反射シート
３  バックライト
３１  ライトフレーム
３２  ライト支持部材
４  液晶パネル
４１  セルガイド
４２  拡散板
４３  拡散シート
４４  液晶セル
５１  ソースドライバ基板
５２  ゲートドライバ基板
６  ベゼル
７１  メイン基板
７２  タイミングコントローラ基板
８１  シールド部材
８１１  平面部
８１２  立ち上がり部
８１３  係合部
８１４  固定用端部
８１５  押え部
８２  パネルホルダ
【図１】
2008197164.tif 000003
【図２】
2008197164.tif 000004
【図３】
2008197164.tif 000005
【図４】
2008197164.tif 000006
【図５】
2008197164.tif 000007
【図６】
2008197164.tif 000008
【図７】
2008197164.tif 000009
【図８】
2008197164.tif 000010